(57)【要約】【課題】表示領域周囲の額縁領域の増加を抑えることのできる液晶表示装置を提供する。【解決手段】液晶表示装置１００は、基板１上に複数行のゲート線２と複数列の信号線３とをマトリクス状に配置し、これらの交差部に画素を配置してなる表示領域４を有し、表示領域４の周囲に、信号線３に信号を供給するソース回路と、信号線３のうちの所定本を一組として該一組内の各信号線３にソース回路からの信号を時分割駆動で順次供給する複数のセレクタ７とを内蔵して有する。表示領域４は、上底である第２の辺に比べて下底である第１の辺の長さが短い台形状の平面形状を有し、第１の辺の周囲にセレクタ７の一部を配置し、第２の辺の周囲にセレクタ７の残りの一部を配置するように構成される。【選択図】図１
2013238829.tif 000002
【特許請求の範囲】
【請求項１】
基板上に複数行のゲート線と複数列の信号線とをマトリクス状に配置し、これらの交差部に画素を配置してなる表示領域を有し、
前記表示領域の周囲に、前記信号線に信号を供給するソース回路と、前記信号線のうちの所定本を一組として該一組内の各信号線に前記ソース回路からの信号を時分割駆動で順次供給する複数のセレクタとを内蔵して有する液晶表示装置であって、
前記表示領域は、第１の辺と、該第１の辺にその一部が対向して該第１の辺より長い第２の辺とを含む多角形状を有し、
前記第１の辺の周囲に前記セレクタの一部を配置し、前記第２の辺の周囲に該セレクタの残りの一部を配置するように構成されたことを特徴とする液晶表示装置。
【請求項２】
前記表示領域は、台形状であって前記第１の辺と前記第２の辺とが互いに平行な２辺を構成し、他の２辺の少なくとも一方は斜辺をなし、
台形状の前記表示領域の前記斜辺の周囲に、前記ゲート線に信号を供給するゲート回路が配置され、
前記ソース回路が、前記第１の辺の周囲に配置され、
前記第１の辺の周囲に配置された前記セレクタの一部が、前記表示領域と前記ソース回路との間に配置されることを特徴とする請求項１に記載の液晶表示装置。
【請求項３】
前記第１の辺の周囲に配置された前記セレクタの一部は、前記第１の辺と該第１の辺に対向する前記第２の辺の一部との間にある前記表示領域の部分の前記画素の前記信号線に前記信号を供給するように構成され、
前記第２の辺の周囲に配置された前記セレクタの残りの一部は、前記第１の辺と該第１の辺に対向する前記第２の辺の一部との間にある前記表示領域の部分を除く、前記表示領域の残りの部分にある前記画素の前記信号線に前記信号を供給するように構成されることを特徴とする請求項１または２に記載の液晶表示装置。
【請求項４】
前記表示領域の斜辺と該斜辺の周囲にある前記ゲート回路との間に引き回し配線を配置し、前記ソース回路と前記第２の辺の周囲に配置された前記セレクタの残りの一部とを接続するように構成されることを特徴とする請求項２または３に記載の液晶表示装置。
【請求項５】
前記表示領域の斜辺の周囲にある前記ゲート回路の、反表示領域側である外部側に引き回し配線を配置し、前記ソース回路と前記第２の辺の周囲に配置された前記セレクタの残りの一部とを接続するように構成されることを特徴とする請求項２または３に記載の液晶表示装置。
【発明の詳細な説明】
【技術分野】
【０００１】
本発明は、液晶表示装置に関する。
【背景技術】
【０００２】
近年、薄型で軽量化の可能な液晶表示装置が、携帯情報機器やノート型コンピュータ等の機器のほか、自動車等の車両のインストルメントパネル等いわゆる車載用の各種機器の表示装置として広く利用されている。
【０００３】
液晶表示装置は、液晶を挟んでカラーフィルタ基板等の基板に対向配置されるアレイ基板と、その駆動回路とを有して構成される。
アレイ基板の上には、複数行のゲート線と複数列の信号線とが配置され、これらの各交差部に画素が配置される。各画素は、薄膜トランジスタ（ＴＦＴ）、液晶層（液晶容量）、保持容量を備え、各ＴＦＴのゲート電極がゲート線に接続され、ソース電極が信号線に接続されている。液晶表示装置の駆動回路は、アレイ基板上に配置されたゲート線をおよび信号線を駆動して画像表示を行うように構成される。
【０００４】
そして、最近の集積回路技術の発展およびプロセス技術の実用化により、駆動回路の一部がアレイ基板上に形成されるようになっている。その結果、液晶表示装置は、全体としてさらなる薄型化と小型化が図られている。
【０００５】
この液晶表示装置は、アレイ基板上で上述の画素が行列状（マトリクス状）に配置されて表示領域を形成している。表示領域のマトリクス状に配置された画素は、アクティブマトリクス方式によって駆動することが可能であり、応答特性やコントラスト比等の表示特性に優れた液晶表示装置が実現されている。このアクティブマトリクス方式の液晶表示装置において、画像を表示するための駆動に際しては、駆動する画素に対して信号を書き込もうとする行のゲート線の選択を行う。そして、ドライバＩＣから信号を供給することにより、表示領域のマトリクスで駆動対象として決定された画素へこの信号を書き込んでいる。
【０００６】
この各画素への信号の書き込みについて、アレイ基板の信号線とドライバＩＣの信号供給出力とを１対１の対応関係で設けると、信号線の本数と同数の出力数を持つドライバＩＣが必要になる。そして、そのドライバＩＣと液晶パネルとの間を接続するのにその本数分の配線が必要となる。このような構成ではドライバＩＣの大型化や配線領域の拡大が必要となる。その結果、額縁領域と称される液晶表示装置の表示領域周囲の非表示領域や、駆動回路の配置領域が大きくなって、液晶表示装置の薄型化や小型が十分に果たされないことになる。
【０００７】
そこで、ドライバＩＣの１つの信号供給出力に対し、アレイ基板の信号線を所定の複数本で一つの組として割り当て、時分割により選択した複数本の信号線の組のうちの１本の信号線にドライバＩＣの信号供給出力を時分割で振り分けて供給するセレクタ駆動方式が知られている（特許文献１および特許文献２を参照。）。
【先行技術文献】
【特許文献】
【０００８】
【特許文献１】特開２００８−７６４４３号公報
【特許文献２】特開２０１０−２５６９１７号公報
【発明の概要】
【発明が解決しようとする課題】
【０００９】
図３は、従来の液晶表示装置のレイアウト構造を示す模式的な平面図である。
【００１０】
図３の液晶表示装置１０００は、セレクタ表示方式を実現する。
液晶表示装置１０００は、アレイ基板１００１上に表示領域１００２と、ゲート回路(図示されない）を内蔵するゲート回路領域１００３と、セレクタを内蔵する回路領域１００４とを有して構成されている。そして、アレイ基板１００１の下端部の周囲に、ソース回路１００５を配置して有している。
【００１１】
アレイ基板１００１上の表示領域１００２は、上述と同様の構造を有する。
ゲート回路領域１００３のゲート回路は、液晶表示装置の画像表示に際して、ゲート線に信号（ゲート信号）を供給し、駆動する画素に信号を書き込もうとする行のゲート線の選択を行う。
【００１２】
液晶表示装置１０００において、ソース回路１００５は、アレイ基板１００１の下端部の周囲に外部回路として設けられている。ソース回路１００５は、例えば、ＴＡＢテープ上に配置されたＴＡＢドライバＩＣ１００６として設けることができる。
【００１３】
回路領域１００４に内蔵されるセレクタは、互いに隣接する所定の複数本の信号線を一組とし、この一組内の各信号線に時系列で信号（ソース信号）を与える、いわゆる時分割駆動を行なうために設けられている。
【００１４】
従来の液晶表示装置１０００は、セレクタの内蔵された回路領域１００４をソース回路１００５と表示領域１００２との間に配置する。そして、そのセレクタを利用してセレクタ駆動方式を実現する。従来の液晶表示装置１０００は、こうした構成を備えることにより、表示領域１００２の周囲にある額縁領域を小さくすることができ、全体の薄型化や小型化を実現している。
【００１５】
しかしながら、液晶表示装置は、表示領域の平面形状が、図３に示す長方形や正方形等に限られるわけではない。液晶表示装置は、表示領域の形状として、長方形や正方形と異なる形状が選択されることがある。
【００１６】
図４は、従来の液晶表示装置の別の例のレイアウト構造を示す模式的な平面図である。
【００１７】
例えば、図４に示すように、液晶表示装置１１００は、その用途に対応して、表示領域１１０２の平面形状を、長方形や正方形と異なる多角形とすることがあった。より具体的には、図４に示すように、アレイ基板１１０１とその上の表示領域１１０２を台形状とすることがあった。図４に示す液晶表示装置１１００の表示領域１１０２は台形状であり、対向する二つの辺の長さを異なるようにして構成され、上底に比べて下底の長さが短い平面形状を有する。このとき、表示領域１１０２は、図３の表示領域１００２と形状のみが異なっており、それ以外は同様の構造をとされる。
【００１８】
その場合、図３のソース回路１００５と同様のソース回路１１０５が配置される下方側の辺は、上方側の辺より短くなることになる。そして、２本の斜辺の周囲にはそれぞれ、図３の液晶表示装置１０００のゲート回路領域１００３と同様のゲート回路領域１１０３が配置される。液晶表示装置１１００は、図３の液晶表示装置１０００と同様に、セレクタ駆動方式を実現する。したがって、液晶表示装置１１００は、図３の液晶表示装置１０００と同様のセレクタの内蔵された回路領域１１０４の一部が、ゲート回路領域１１０３の配置された斜辺の周囲に配置されることになる。
【００１９】
したがって、図４に示す液晶表示装置１１００では、ゲート回路領域１１０３の設けられる辺の周囲でゲート回路領域１１０３に加えて回路領域１１０４が設けられることになる。そのため、液晶表示装置１１００は、表示領域１１０２周囲の額縁領域が大きくなって、表示領域１１０２の形状に対応するように液晶表示装置１１００全体の形状を形成することができないほか、セレクタ駆動方式の特徴である小型化が十分に図れないことがあった。
【００２０】
本発明は、こうした点に鑑みてなされたものである。すなわち、本発明は、表示領域周囲の額縁領域の増加を抑えた液晶表示装置を提供することである。
【００２１】
本発明の他の目的および利点は、以下の記載から明らかとなるであろう。
【課題を解決するための手段】
【００２２】
本発明は、基板上に複数行のゲート線と複数列の信号線とをマトリクス状に配置し、これらの交差部に画素を配置してなる表示領域を有し、
表示領域の周囲に、信号線に信号を供給するソース回路と、その信号線のうちの所定本を一組としてその一組内の各信号線にソース回路からの信号を時分割駆動で順次供給する複数のセレクタとを内蔵して有する液晶表示装置であって、
表示領域は、第１の辺と、その第１の辺にその一部が対向してその第１の辺より長い第２の辺とを含む多角形状を有し、
第１の辺の周囲にセレクタの一部を配置し、第２の辺の周囲にそのセレクタの残りの一部を配置するように構成されたことを特徴とする液晶表示装置に関する。
【００２３】
本発明において、表示領域は、台形状であって対向する第１の辺と第２の辺とが互いに平行な２辺を構成し、他の２辺の少なくとも一方は斜辺をなし、
台形状の表示領域の斜辺の周囲に、ゲート線に信号を供給するゲート回路が配置され、
ソース回路が、第１の辺の周囲に配置され、
第１の辺の周囲に配置されたセレクタの一部が、表示領域とソース回路との間に配置されることが好ましい。
【００２４】
本発明において、第１の辺の周囲に配置されたセレクタの一部は、第１の辺とその第１の辺に対向する第２の辺の一部との間にある表示領域の部分の画素の信号線に信号を供給するように構成され、
第２の辺の周囲に配置されたセレクタの残りの一部は、第１の辺とその第１の辺に対向する第２の辺の一部との間にある表示領域の部分を除く、表示領域の残りの部分にある画素の信号線に信号を供給するように構成されることが好ましい。
【００２５】
本発明において、表示領域の斜辺とその斜辺の周囲にあるゲート回路との間に引き回し配線を配置し、ソース回路と第２の辺の周囲に配置されたセレクタの残りの一部とを接続するように構成されることが好ましい。
【００２６】
また、本発明において、表示領域の斜辺の周囲にあるゲート回路の、反表示領域側である外部側に引き回し配線を配置し、ソース回路と第２の辺の周囲に配置されたセレクタの残りの一部とを接続するように構成されることが好ましい。
【発明の効果】
【００２７】
本発明によれば、表示領域周囲の額縁領域の増加を抑えた液晶表示装置が提供される。
【図面の簡単な説明】
【００２８】
【図１】本発明の実施形態の液晶表示装置の構成を模式的に示す平面図である。
【図２】本実施形態の液晶表示装置の別の例の本発明の実施形態の液晶表示装置の構成を模式的に示す平面図である。
【図３】従来の液晶表示装置のレイアウト構造を示す模式的な平面図である。
【図４】従来の液晶表示装置の別の例のレイアウト構造を示す模式的な平面図である。
【発明を実施するための形態】
【００２９】
以下、本発明の実施形態の液晶表示装置について図面を用いて説明する。
【００３０】
図１は、本発明の実施形態の液晶表示装置の構成を模式的に示す平面図である。
【００３１】
本発明の実施形態の液晶表示装置１００は、基板１を有して構成される。液晶表示装置１００は、この基板１と、カラーフィルタ等を有して構成することができる対向基板（図示されない）とにより液晶（図示されない）を挟持して構成される。
【００３２】
液晶表示装置１００は、基板１の上に、複数行のゲート線２と複数列の信号線３とをマトリクス状に配置し、これらの各交差部に画素（図示されない）を配置して表示領域４を構成する。図１に示すように、ゲート線２は基板１上で水平方向に伸び、信号線３は基板１上で上下方向に伸び、ゲート線２と信号線３とは基板１上で互いに直交するように配置される。表示領域４は、例えば、ＸＧＡ表示規格とすることができる。その場合、赤（Ｒ）、緑（Ｇ）、青（Ｂ）の各色毎に、１０２４本の信号線３と、７６８本のゲート線２とを備えて構成される。
【００３３】
液晶表示装置１００の各画素は、薄膜トランジスタ（ＴＦＴ）（図示されない）、液晶層（液晶容量）（図示されない）、および保持容量（図示されない）等を備え、各ＴＦＴのゲート電極（図示されない）がゲート線２に接続され、ソース電極（図示されない）が信号線３に接続されている。ＴＦＴは、半導体層にアモルファスシリコンや多結晶シリコンを用いたものとすることができるが、特に、多結晶シリコンを用いたＴＦＴの使用が好ましい。そして、液晶表示装置１００は、基板１上に配置されたゲート線２および信号線３を駆動して画像表示を行うように構成される。すなわち、液晶表示装置１００はアクティブマトリクス方式による駆動が可能であり、応答特性やコントラスト比等に優れた表示を可能とする。
【００３４】
液晶表示装置１００は、基板１上に表示領域４を有し、その周囲の額縁領域には、各ゲート線２に選択信号を供給するように各ゲート線２に対応する複数のゲート回路５と、複数のセレクタ７とを内蔵して有している。内蔵されるセレクタ７は、互いに隣接する所定の複数本の信号線３を一組とし、この一組内の各信号線３に時系列で信号（ソース信号）を与える、いわゆる時分割駆動を行なうために設けられている。一組にする信号線３の数としては、図１に示す６本のほか、例えば、３本、４本、または、９本等を選ぶことができる。図１の液晶表示装置１００は、セレクタ７を基板１上に内蔵して備え、セレクタ表示方式を実現する。
【００３５】
そして、基板１の下方側の端部には、フレキシブルプリント基板（ＦＰＣ）９が配設されている。このＦＰＣ９の上には駆動ＩＣ１０が実装されて、液晶表示装置１００のソース回路を構成している。
尚、液晶表示装置１００は、ＦＰＣ９上に駆動ＩＣ１０を実装する代わりに、ソース回路をセレクタ７が形成される回路領域８に内蔵してもよい。
【００３６】
ＦＰＣ９上の駆動ＩＣ１０の信号供給出力（図示されない）とセレクタ７との間は、例えば、６本の信号線３を集約するための集約配線１１により接続されている。集約配線１１は、ソース回路と各セレクタ７とを接続する引き回し配線として機能する。
【００３７】
尚、図１では、集約配線１１の配置構造を模式的に示しているが、液晶表示装置１００の集約配線１１は、ソース回路を構成するＦＰＣ９上の駆動ＩＣ１０と表示領域４との間にある、セレクタ７が形成される回路領域８に内蔵されることが好ましい。
また、液晶表示装置１００は、ＦＰＣ９を介して、各ゲート回路５と、液晶表示装置１００の不図示の電源やクロック回路との間を接続する。そのため、それらの間を接続する配線１２は、集約配線１１と同様に、回路領域８およびゲート回路５の形成される回路領域６に内蔵されることが好ましい。
【００３８】
本実施形態の液晶表示装置１００は、その用途に対応できるように、表示領域４の平面形状を、長方形や正方形と異なる多角形を選択することができる。その場合、液晶表示装置１００の表示領域４は、第１の辺と、その第１の辺に一部が対向してその第１の辺より長い第２の辺とを含む多角形状とすることができる。より具体的には、その用途に応じて、液晶表示装置１００の表示領域４を台形状とすることができる。
【００３９】
図１に示す液晶表示装置１００の表示領域４は、上述した第１の辺と第２の辺とが互いに平行な２辺を構成する。他の２辺は少なくとも一方が斜辺を構成し、例えば、図１に示すように、他の２辺をいずれも斜辺とすることができる。液晶表示装置１００の表示領域４は、上底に比べて下底の長さが短い台形状の平面形状となる。したがって、液晶表示装置１００の表示領域４は、上述の第１の辺である、ＦＰＣ９のある側の下方側の辺が、上方側の辺より短く形成されることになる。
【００４０】
そして、図１に示す液晶表示装置１００は、表示領域４の斜辺の周囲に、内蔵されたゲート回路５を配置する。各ゲート回路５は、表示領域４で水平方向に伸びる複数行のゲート線２のそれぞれと接続する。
【００４１】
また、液晶表示装置１００は、ＦＰＣ９を配設してソース回路が設けられる下方側の辺の周囲であって、ＦＰＣ９によるソース回路との間に、セレクタ７を内蔵して配置する。このとき、セレクタ７の配置される、表示領域４の下方側の辺は、上述したように、上方側の辺に比べて短く形成されている。
【００４２】
各セレクタ７は、表示領域４の上下方向に伸びる、互いに隣接する６本の信号線３と接続している。したがって、表示領域４の下方側の辺の周囲に配置されたセレクタ７は、その下方側の辺と、その下方側の辺と対向する上方側の辺の一部との間の表示領域４にある画素の信号線３とを接続して、ソース信号を供給するように構成されている。
【００４３】
その場合、液晶表示装置１００は、上述の下方側の辺と上方側の辺の一部との間にある表示領域４の一部を除く、表示領域４の残りの部分にある画素の信号線３にソース信号を供給するセレクタ７を、表示領域４の下方側の辺の周囲に配置することはできない。すなわち、液晶表示装置１００の表示領域４の端部側には、上方側の辺の端部側の一部および斜辺によって２方を囲まれた略三角形状の領域が形成される。この表示領域４の略三角形状の領域にある画素の信号線３にソース信号を供給するセレクタ７は、他のセレクタ７と同様の配置方法で、表示領域４の下方側の辺の周囲に配置することができない。
【００４４】
図４に示した技術に従い、セレクタ７の配置される回路領域を連続して一体的に設けようとする場合、その回路領域を、表示領域４の斜辺の周囲に設ける必要が生じる。このとき、表示領域４の斜辺の周囲には、ゲート回路５が内蔵されて配置されている。したがって、セレクタ７の配置される回路領域の一部は、ゲート回路５の反表示領域側、すなわち、表示領域４側と反体側である外部側に設けられることになる。液晶表示装置１００がそのような構造の場合、台形状の表示領域４に対応するように液晶表示装置全体の形状を形成することができなくなる。その結果、液晶表示装置１００は、その小型化が十分に図れないことになる。
【００４５】
そこで、本実施形態の液晶表示装置１００は、図１に示すように、セレクタ７の配置される回路領域８を分割する。そして、その分割された回路領域８の一部を、他の一部と分離された位置に配置する。すなわち、液晶表示装置１００は、回路領域８を表示領域４の上方側の周囲にも設け、複数のセレクタ７の一部を表示領域４の上方側の周囲に配置するようにする。
【００４６】
そして、液晶表示装置１００は、そのセレクタ７の一部によって、表示領域４の下方側の辺とその下方側の辺と対向する上方側の辺の一部との間にある表示領域４の一部を除く、上述の表示領域４の残りの部分にある画素の信号線３にソース信号を供給するようにする。すなわち、表示領域４の上方側の周囲にある回路領域８に配置されたセレクタ７の一部によって、上述した表示領域４の略三角形状の領域にある画素の信号線３にソース信号を供給する。
【００４７】
以上の構成の本実施形態の液晶表示装置１００は、表示領域４の下方側の辺の周囲に配置されたセレクタ７の一部が、その下方側の辺とそれに対向する上方側の辺の一部との間にある表示領域４の画素の信号線３にソース信号を供給するように構成される。併せて、上方側の辺の周囲に配置されたセレクタ７の残りの一部が、下方側の辺とその下方側の辺に対向する上方側の辺の一部との間にある表示領域４の一部を除く、表示領域４の残りの部分にある画素の信号線にソース信号を供給するように構成される。
【００４８】
このような構造とすることにより、本実施形態の液晶表示装置１００は、表示領域４が、例えば、図１に示す台形状であっても、ゲート回路５やセレクタ７が配置される額縁領域を小さく保つことが可能となり、液晶表示装置全体の小型化を実現することができる。
【００４９】
本実施形態の液晶表示装置１００において、ＦＰＣ９に実装された駆動ＩＣ１０からなり、表示領域４の下方側に配置されたソース回路と、上方側の辺の周囲に配置されたセレクタ７の一部との間の接続は、集約配線１１を引き回し配線として使用して行う。すなわち、ソース回路と接続する集約配線１１を引き回して、表示領域４の斜辺とその斜辺の周囲にあるゲート回路５との間に配置し、それらの間の接続を行うようにすることができる。
【００５０】
また、液晶表示装置１００は、引き回し配線として使用される集約配線１１の配置方法を、図１に示す方法と異なるようにすることができる。
【００５１】
図２は、本実施形態の液晶表示装置の別の例の本発明の実施形態の液晶表示装置の構成を模式的に示す平面図である。
【００５２】
図２に示す本実施形態の別の例である液晶表示装置２００は、引き回し配線として使用する集約配線１１１の配置が、図１の液晶表示装置１００の集約配線１１と異なる以外は、同様の構造を有する。したがって、共通する構成要素については、同じ符号を付し、重複する説明は省略する。
【００５３】
図２に示す、液晶表示装置２００は、表示領域４の斜辺の周囲にあるゲート回路５の反表示領域側、すなわち、表示領域４側と反対側である外部側に集約配線１１１を配置して構成される。そして、ＦＰＣ９に実装された駆動ＩＣ１０からなり、表示領域４の下方側に配置されたソース回路と、上方側の辺の周囲に配置されたセレクタ７の一部との間の接続は、その集約配線１１１により実現される。
【００５４】
このような集約配線１１１の構造を有することにより、液晶表示装置２００は、集約配線１１１とゲート線２との交差部分に交差容量が形成されず、液晶表示装置１００の画像表示に影響が生じることを抑制することができる。
【００５５】
尚、本発明は上記各実施の形態に限定されるものではなく、本発明の趣旨を逸脱しない範囲内において、種々変形して実施することができる。
【００５６】
特に、本発明は、ソース回路からの信号を時分割駆動で複数の信号線に順次供給するセレクタを複数使用し、各セレクタを、液晶表示装置の表示領域の形状に対応させて、最適な配置位置で表示領域の周囲に配置し、液晶表示装置全体を小型化する技術に関する。したがって、液晶表示装置の表示領域の形状は、上述した台形等に限られず、平行四辺形等、多様な形状とすることができる。
【符号の説明】
【００５７】
１  基板
２  ゲート線
３  信号線
４、１００２、１１０２  表示領域
５  ゲート回路
６、８、１００４、１１０４  回路領域
７  セレクタ
９  ＦＰＣ
１０  駆動ＩＣ
１１、１１１  集約配線
１２  配線
１００、２００、１０００、１１００  液晶表示装置
１００１、１１０１  アレイ基板
１００３、１１０３  ゲート回路領域
１００５、１１０５  ソース回路
１００６  ＴＡＢドライバＩＣ
【図１】
2013238829.tif 000003
【図２】
2013238829.tif 000004
【図３】
2013238829.tif 000005
【図４】
2013238829.tif 000006